(57)【要約】      （修正有）【課題】左右のフォーク爪間の中央と落下防止部材の左右方向中央とを容易に略一致させることができ、確実に、落下防止部材を水平状態に維持して平行に上下移動させることができる物品の落下防止装置を提供する。【解決手段】落下防止部材１１に、該落下防止部材１１の左右方向中央から左右に略均等な位置に爪係合部３０をそれぞれ設け、左右各爪係合部３０は、左右方向で対向配置されていてフォークリフトのフォーク爪２９の先端側が間に挿入可能な左右一対の縦壁と、この左右縦壁間の上側に位置していてフォーク爪２９の先端側が下側から接当可能な上壁と、前記左右縦壁間の後側に位置していてフォーク爪２９の先端側が前側から接当可能な後壁とを有してなる。【選択図】図１
2014118266.tif 000002
【特許請求の範囲】
【請求項１】
物品収容棚の、物品が出し入れされる物品出し入れ用開口の左右両側に配置される支持部材と、この左右支持部材間に架け渡される落下防止部材とを有し、
前記左右支持部材に、落下防止部材を、物品出し入れ用開口を横切って物品の落下を防止する落下防止位置と、物品出し入れ用開口を開放する退避位置とに上下位置変更可能に係合し、
前記落下防止部材に、該落下防止部材の左右方向中央から左右に略均等な位置に爪係合部をそれぞれ設け、
左右各爪係合部は、左右方向で対向配置されていてフォークリフトのフォーク爪の先端側が間に挿入可能な左右一対の縦壁と、この左右縦壁間の上側に位置していてフォーク爪の先端側が下側から接当可能な上壁と、前記左右縦壁間の後側に位置していてフォーク爪の先端側が前側から接当可能な後壁とを有することを特徴とする物品の落下防止装置。
【請求項２】
前記落下防止部材は、左右支持部材間に位置する落下防止部材本体を有し、この落下防止部材本体は、上面壁とこの上面壁の後端から下方に向けて延出された背面壁とから形成され、
前記爪係合部は、左右の縦壁の下端同士を底壁で連結してなるコ字形部材の上端を落下防止部材本体の上面壁の下面に固定すると共に、該コ字形部材の後端を落下防止部材本体の背面壁の前面に固定することで形成されていることを特徴とする請求項１に記載の物品の落下防止装置。
【請求項３】
前記支持部材を、物品収容棚に取り付けられる取付壁と、この取付壁の左右両側から前方側に延出された左右の側壁と、この左右側壁の前端側を連結する前壁とから角筒状に形成し、
この支持部材の側壁に、落下防止部材を上下位置変更可能に案内するガイド溝を形成すると共に、該支持部材の前壁に、物品収容棚に取付壁を取付固定するための窓開口を形成したことを特徴とする請求項１又は２に記載の物品の落下防止装置。
【請求項４】
前記支持部材は、物品収容棚に取り付けられる取付壁と、この取付壁の左右両側から前方側に延出された左右の側壁とを有し、左右支持部材の左右方向で対向する側の側壁に、落下防止部材の左右両側に設けられた係合壁が上下位置変更可能に係合するガイド溝を形成し、
このガイド溝は、落下防止位置で前記係合壁を係止保持する第１保持部と、この第１保持部に対して前方に位置ずれし且つ第１保持部の下方に位置していて退避位置で前記係合壁を係止保持する第２保持部と、第１保持部と第２保持部とを連絡する連絡通路部とを備え、
支持部材のガイド溝が形成された側壁の、第１保持部の後側部分、第１保持部と第２保持部との間の部分、第２保持部の前側の部分のうちの少なくとも１つの部分に、上下方向に長いリブを設けたことを特徴とする請求項１〜３のいずれか１項に記載の物品の落下防止装置。
【発明の詳細な説明】
【技術分野】
【０００１】
本発明は、物品収容棚に取り付けられて、該物品収容棚に収容された物品の落下を防止する物品の落下防止装置に関するものである。
【背景技術】
【０００２】
地震の発生時等において、物品収容棚の棚部材上に載置された物品が棚部材から滑り落ちる場合があり、このような場合において、物品収容棚に収容された物品の落下を防止する落下防止装置として、特許文献１に記載された物品の落下防止装置がある。
この物品の落下防止装置は、物品収容棚の、物品が出し入れされる物品出し入れ用開口の左右両側に配置される支持部材と、この左右支持部材間に架け渡される落下防止部材とから構成されている。
【０００３】
前記落下防止部材は左右の支持部材に上下位置変更可能に係合していて、該落下防止部材を上下位置変更させることにより、該落下防止部材が、物品出し入れ用開口を横切って物品の落下を防止する落下防止位置と、物品出し入れ用開口を全面的に開放する退避位置とに位置変更可能とされている。
この落下防止部材は、左右の支持部材の間に位置する落下防止部材本体と、この落下防止部材本体から左右に延出されていて支持部材に係合する係合壁とから構成されている。
【０００４】
前記係合壁は、支持部材に形成されたガイド溝に上下位置変更可能に係合しており、該ガイド溝は、落下防止位置で係合壁を係止保持する第１保持部と、退避位置で係合壁を係止保持する第２保持部と、係合壁が第１保持部と第２保持部との間を移動できるように第１保持部と第２保持部とを連絡する連絡通路部とを有する。
前記物品の落下防止装置は、倉庫等に設置されてフォークリフトによって物品の出し入れが行われる物品収容棚に取り付けられ、フォークリフトの左右のフォーク爪によって落下防止部材本体を受持して該フォーク爪を昇降させることにより、該落下防止部材を落下防止位置と退避位置とに位置変更させることができるものである。
【先行技術文献】
【特許文献】
【０００５】
【特許文献１】実用新案登録第３００３６１９号公報
【発明の概要】
【発明が解決しようとする課題】
【０００６】
前記従来の物品の落下防止装置にあっては、フォークリフトの左右のフォーク爪によって落下防止部材を上下移動させる場合、落下防止部材を水平状態に維持して平行に上下移動させなければならないが、前記従来の落下防止部材には、フォーク爪を係合させるための目安となるものがなく、目測によって落下防止部材の左右方向中央と左右フォーク爪の間の中央とを位置合わせしなければならないため、フォークリフトの左右のフォーク爪を落下防止部材本体の下側に配置させる際において、該左右フォーク爪間の中央が落下防止部材の左右方向中央から左右一方に大きく偏って配置される場合があり、この場合、左右フォーク爪で落下防止部材を受持して上下移動させる際に該落下防止部材が傾いてしまうという不具合を生じる。
【０００７】
そこで、本発明は、前記問題点に鑑み、フォークリフトの左右のフォーク爪間の中央と落下防止部材の左右方向中央とを容易に略一致させることができ、確実に、落下防止部材を水平状態に維持して平行に上下移動させることができる物品の落下防止装置を提供することを課題とする。
【課題を解決するための手段】
【０００８】
前記技術的課題を解決するために本発明が講じた技術的手段は、以下に示す点を特徴とする。
請求項１に係る発明では、物品収容棚の、物品が出し入れされる物品出し入れ用開口の左右両側に配置される支持部材と、この左右支持部材間に架け渡される落下防止部材とを有し、
前記左右支持部材に、落下防止部材を、物品出し入れ用開口を横切って物品の落下を防止する落下防止位置と、物品出し入れ用開口を開放する退避位置とに上下位置変更可能に係合し、
前記落下防止部材に、該落下防止部材の左右方向中央から左右に略均等な位置に爪係合部をそれぞれ設け、
左右各爪係合部は、左右方向で対向配置されていてフォークリフトのフォーク爪の先端側が間に挿入可能な左右一対の縦壁と、この左右縦壁間の上側に位置していてフォーク爪の先端側が下側から接当可能な上壁と、前記左右縦壁間の後側に位置していてフォーク爪の先端側が前側から接当可能な後壁とを有することを特徴とする。
【０００９】
請求項２に係る発明では、前記落下防止部材は、左右支持部材間に位置する落下防止部材本体を有し、この落下防止部材本体は、上面壁とこの上面壁の後端から下方に向けて延出された背面壁とから形成され、
前記爪係合部は、左右の縦壁の下端同士を底壁で連結してなるコ字形部材の上端を落下防止部材本体の上面壁の下面に固定すると共に、該コ字形部材の後端を落下防止部材本体の背面壁の前面に固定することで形成されていることを特徴とする。
【００１０】
請求項３に係る発明では、前記支持部材を、物品収容棚に取り付けられる取付壁と、この取付壁の左右両側から前方側に延出された左右の側壁と、この左右側壁の前端側を連結する前壁とから角筒状に形成し、
この支持部材の側壁に、落下防止部材を上下位置変更可能に案内するガイド溝を形成すると共に、該支持部材の前壁に、物品収容棚に取付壁を取付固定するための窓開口を形成したことを特徴とする。
【００１１】
請求項４に係る発明では、前記支持部材は、物品収容棚に取り付けられる取付壁と、この取付壁の左右両側から前方側に延出された左右の側壁とを有し、左右支持部材の左右方向で対向する側の側壁に、落下防止部材の左右両側に設けられた係合壁が上下位置変更可能に係合するガイド溝を形成し、
このガイド溝は、落下防止位置で前記係合壁を係止保持する第１保持部と、この第１保持部に対して前方に位置ずれし且つ第１保持部の下方に位置していて退避位置で前記係合壁を係止保持する第２保持部と、第１保持部と第２保持部とを連絡する連絡通路部とを備え、
支持部材のガイド溝が形成された側壁の、第１保持部の後側部分、第１保持部と第２保持部との間の部分、第２保持部の前側の部分のうちの少なくとも１つの部分に、上下方向に長いリブを設けたことを特徴とする。
【発明の効果】
【００１２】
本発明によれば、以下の効果を奏する。
フォークリフトの左右のフォーク爪の先端側を、左右方向で同じ側にある爪係合部の左右縦壁間にそれぞれ挿入することにより、落下防止部材の左右方向中央と左右のフォーク爪間の中央とを容易に略一致させることができる。これによって、落下防止部材を落下防止位置と退避位置とに位置変更させる際に、該落下防止部材を水平状態に維持して平行に上下移動させることが確実に行える。
【００１３】
また、フォーク爪を爪係合部の左右縦壁間に挿入する際において、左右一方のフォーク爪を左右方向で同じ側に位置する爪係合部の左右縦壁間に挿入すれば、落下防止部材の左右方向中央と左右のフォーク爪間の中央とを容易に略一致させることができ、落下防止部材の左右方向中央と左右のフォーク爪間の中央との位置合わせが容易に行える。
また、爪係合部が後壁を有することにより、落下防止部材が落下防止位置に位置している状態でフォーク爪の先端側を爪係合部の左右縦壁間に挿入する際に、フォーク爪が物品に接当することがない。
【００１４】
また、落下防止部材に爪係合部を設けることにより、該落下防止部材の強度アップを図ることができる。
【図面の簡単な説明】
【００１５】
【図１】落下防止装置を物品収容棚に取り付けた状態を示す正面図である。
【図２】図１の右側の拡大図である。
【図３】図２のＡ−Ａ線矢視断面図である。
【図４】（ａ）は支持部材の側面図、（ｂ）は支持部材の背面図である。
【図５】（ａ）は図２のＢ−Ｂ線矢視断面図、（ｂ）は図２のＣ−Ｃ線矢視断面である。
【図６】落下防止部材の斜視図である。
【図７】支持部材の他の例を示す図であって、（ａ）は支持部材の正面図、（ｂ）は支持部材の側面図である。
【図８】（ａ）は図７に示す支持部材に落下防止部材の係合部を係合させた部分の平面断面図、（ｂ）は図７に示す支持部材に落下防止部材の係合部を係合させた部分の正面一部断面図である。
【図９】他の形態の落下防止装置を示し、（ａ）は支持部材上部側の正面図、（ｂ）は支持部材上部側の側面断面図である。
【図１０】支持部材の、さらに他の例を示す側面図である。
【発明を実施するための形態】
【００１６】
以下、本発明の実施の形態を図面を参照して説明する。
図１において、符号１は、物品２が収容される物品収容棚３に設けられて、該物品収容棚３に収容された物品２の落下を防止する落下防止装置である。
図１〜図３に示すように、前記物品収容棚３は、前後左右に間隔をおいて配置された支柱４と、前後左右で隣接する支柱４同士を連結する梁部材５と、物品２が載置される棚部材６とを有する。
【００１７】
なお、図面は、物品収容棚３の正面側を図示しており、後側の支柱、及び後側の左右の支柱を連結する梁部材、並びに前後の支柱を連結する梁部材は図示を省略している。
前記支柱４は、図３に示すように、左右の側壁４ａと、左右側壁４ａの前端同士を連結する前面壁４ｂとから後方開放状に形成されている。
棚部材６は、左右の支柱４を連結する前後の梁部材５によって支持され、棚部材６の上面は、該棚部材６を支持する梁部材５の上面と略同じ高さとされており、左右方向で隣接する正面側の支柱４間が、棚部材６の上方の物品収容空間に対して物品２を出し入れするための物品出し入れ用開口８とされている。
【００１８】
棚部材６を支持する前後の梁部材５は、接続部材９を介して支柱４に上下位置調整自在に取り付けられている。
図１に示すように、前記落下防止装置１は、物品出し入れ用開口８の左右両側に配置されて物品収容棚３に取り付けられる一対の縦長の支持部材１０と、この左右の支持部材１０間に架け渡される横長の落下防止部材１１とを有し、落下防止部材１１が、物品出し入れ用開口８を横切って物品２の落下を防止する落下防止位置（図１に実線で示す）と、物品出し入れ用開口８を全面的に開放する退避位置（図１に仮想線で示す）とに上下位置位置変更可能となるように、該落下防止部材１１を左右支持部材１０に係合してなる。
【００１９】
前記支持部材１０は、本実施形態では、左右方向で同じ側に位置する正面側の支柱４の前面に配置されて、該支柱４に、例えば、ボルト３８及びナット３９によって取付固定される。なお、支持部材１０の固定方法は、ボルト固定に限らず、リベット止め、溶接固定等であってもよい。
この支持部材１０は、図２〜図４に示すように、物品収容棚３に取り付けられる取付壁１０ａと、この取付壁１０ａの左右両側から前方側に延出された左右の側壁１０ｂとを有する。
【００２０】
前記取付壁１０ａは、図例では、支柱４の前面壁４ｂの前面に重ね合わされて該前面壁４ｂにボルト３８・ナット３９によって固定される。この取付壁１０ａは、例えば、支柱４に形成されている孔を利用して取り付けられ、この場合は、支柱４に形成されている孔に対応して、取付壁１０ａにボルト挿通孔１２が形成される。また、支持部材１０の取付壁１０ａにボルト挿通孔１２を形成しておき、これに対応するボルト挿通孔を支柱４に形成するようにしてもよい。
【００２１】
前記支持部材１０の左右の側壁１０ｂは、取付壁１０ａの左右端部から前方に延出されると共に取付壁１０ａよりも下方側に延出されていて、支持部材１０は取付壁１０ａが左右側壁１０ｂの後端上部同士を連結するように形成されている。
また、支持部材１０は、取付壁１０ａが物品収容棚３の接続部材９の上方側（棚部材６より上方）に位置し、左右の側壁１０ｂの下部が接続部材９の前方に位置するように取り付けられる。
【００２２】
支持部材１０の左右の側壁１０ｂには、落下防止部材１１を上下移動可能に案内するガイド溝１３が左右方向貫通状に形成されている。このガイド溝１３は、落下防止部材１１を落下防止位置に係止保持する第１保持部１４と、落下防止部材１１を退避位置に係止保持する第２保持部１５と、落下防止部材１１がこれら第１保持部１４と第２保持部１５との間を移動できるように第１保持部１４と第２保持部１５とを連絡する連絡通路部１６とからなる。
【００２３】
第１保持部１４は、支持部材１０の側壁１０ｂの上部の後部側に位置して形成されている。
第２保持部１５は、支持部材１０の側壁１０ｂの下部の前部側に位置して形成されている。
連絡通路部１６は、支持部材１０の側壁１０ｂの上部の第１保持部１４より上方に位置していて第１保持部１４の上端がその下端の後端側に接続された第１連絡路１７と、上端がこの第１連絡路１７の下端の前端側に接続し且つ下端が第２保持部１５に接続された第２連絡路１８とからなる。
【００２４】
また、支持部材１０の左右側壁１０ｂには複数のリブ１９Ａ〜Ｄが設けられている。本実施形態では、このリブ１９Ａ〜Ｄとして、支持部材１０の側壁１０ｂにおける第１保持部１４の後側部分Ｘに形成された第１リブ１９Ａと、支持部材１０の側壁１０ｂにおける第１保持部１４と第２保持部１５との間の部分Ｙに形成された第２リブ１９Ｂと、支持部材１０の側壁１０ｂにおける第２保持部１５の前側部分Ｚに形成された第３リブ１９Ｃと、第１リブ１９Ａと第２リブ１９Ｂの下端同士を接続する第４リブ１９Ｄとが形成されている。
【００２５】
前記第１リブ１９Ａ、第２リブ１９Ｂ及び第３リブ１９Ｃは上下方向に長く形成され、本実施形態では、第１リブ１９Ａは、支持部材１０の側壁１０ｂの上部に設けられていて、第１連絡路１７及び第１保持部１４の後方に位置しており、第２リブ１９Ｂは、第１保持部１４と第２連絡路１８の上部との間に位置しており、第３リブ１９Ｃは、支持部材１０の側壁１０ｂの上部から下部にわたって設けられていて、連絡通路部１６及び第２保持部１５の前方に位置している。
【００２６】
なお、リブは、第１リブ１９Ａ、第２リブ１９Ｂ、第３リブ１９Ｃのうちの少なくとも１つ設けられていればよい。
また、本実施形態では、前記各リブ１９Ａ〜Ｄは、支持部材１０の側壁１０ｂをプレス加工等によって、左右側壁１０ｂの対向方向とは反対側の方向に向けて凹ませることにより形成されているが、各リブ１９Ａ〜Ｄを帯板材によって形成し、支持部材１０の側壁１０ｂの外側面（左右側壁１０ｂの対向側の面とは反対側の面）に溶接固定してもよい。
【００２７】
前記支持部材１０は、取付壁１０ａと、左右の側壁１０ｂとで構成されているが、支持部材１０に、左右側壁１０ｂの前端側同士を連結する前壁を設けてもよい。この場合、前壁は、支持部材１０の取付壁１０ａを支柱４に前方側から取付固定できるように、ボルト挿通孔１２の形成部分の前方側を避けて設けられる。
本願の落下防止装置１にあっては、図１に示すように、左右の支持部材１０間に配置された落下防止部材１１は、該左右支持部材１０の左右方向で対向する側の側壁１０ｂに形成されたガイド溝１３に係合し、該左右支持部材１０の左右方向で対向する側の側壁１０ｂとは反対側の側壁１０ｂに形成されたガイド溝１３には隣に配置される落下防止部材１１が係合する。
【００２８】
前記落下防止部材１１は、図１、図２及び図６に示すように、左右の支持部材１０間に位置する落下防止部材本体２１と、この落下防止部材本体２１から左右に延出されていて
左右支持部材１０の左右方向で対向する側の側壁１０ｂに形成されたガイド溝１３を挿通する係合壁２２とを備えてなる。
落下防止部材本体２１は、壁面が上下方向を向く上面壁２３と、この上面壁２３の後端から下方に向けて延出されていて壁面が前後方向を向く背面壁２４とから側断面Ｌ字形に形成されている。係合壁２２は、落下防止部材本体２１の背面壁２４の左右の端部から左右方向外方（落下防止部材２１の左右方向中央から左右に向かう方向）に向けて一体的に延出形成されている。
【００２９】
落下防止部材本体２１は、その上面壁２３の左右方向の端部が支持部材１０に近接する長さに形成されている。
係合壁２２には、ボルト挿通孔２５が形成されている。
左右各支持部材１０の左右側壁１０ｂ間には、係合壁２２がガイド溝１３から抜けるのを防止する抜止め部材２６が配置され、この抜止め部材２６はボルト２７及びナット２８によって係合壁２２に取付固定されている。
【００３０】
抜止め部材２６は、図５（ｂ）に示すように、係合壁２２の前面に重ね合わされて該係合壁２２にボルト２７及びナット２８によって固定される固定壁２６ａと、この固定壁２６ａの左右方向内方（落下防止部材１１の左右方向中央に向かう方向）側の端部から前方に延出する規制壁２６ｂとからＬ字形に形成されている。
なお、抜止め部材２６の固定用のナット２８は、係合壁２２の後面に溶接固定されていてもよい。また、係合壁２２に形成された前記ボルト挿通孔２５をネジ孔に形成し、このネジ孔に、抜止め部材２６の固定壁２６ａを貫通するボルト２７をねじ込むことにより、抜止め部材２６を係合壁２２に取付固定するようにしてもよい。
【００３１】
本願の落下防止装置１は、倉庫等に設置されてフォークリフトによって物品２の出し入れが行われる物品収容棚３に取り付けられ、フォークリフトの左右のフォーク爪２９によって落下防止部材１１を受持して該フォーク爪２９を昇降させることにより、該落下防止部材１１を落下防止位置と退避位置とに位置変更させるものである。
図３に実線で示すように、前記落下防止部材１１の係合壁２２が第１保持部１４に位置している状態では係合壁２２の下端が第１保持部１４の下端に接当していて落下防止部材１１の下方移動が規制され、落下防止部材１１が落下防止位置に保持される。この落下防止位置で、落下防止部材１１（落下防止部材本体２１）は棚部材６上方の物品収容部に収容された物品２の前方に位置し、地震等によって物品２が前方移動した際に、物品２が物品出し入れ用開口８から前方に飛び出すのを落下防止部材１１が阻止する。
【００３２】
この状態からフォーク爪２９によって落下防止部材１１を持ち上げて係合壁２２を第１連絡路１７内に配置させると、係合壁２２が第１保持部１４から離脱する。この状態でフォークリフトを物品収容棚３に対して後退させて落下防止部材１１を前方移動させると、係合壁２２を第２連絡路１８の真上に位置させることができる。この係合壁２２を第２連絡路１８の真上に位置させた状態から、フォーク爪２９を下降させることによって落下防止部材１１を下降させると、図３に仮想線で示すように、係合壁２２を第２保持部１５に位置させることができる。この係合壁２２が第２保持部１５に位置している状態では係合壁２２の下端が第２保持部１５の下端に接当していて落下防止部材１１の下方移動が規制され、落下防止部材１１が退避位置に保持される。この退避位置では、図１及び図２に仮想線で示すように、落下防止部材１１は正面側の梁部材５の前方に位置して、物品出し入れ用開口８を全面的に開放し、物品２の出し入れが可能となる。
【００３３】
落下防止部材１１を退避位置から落下防止位置に位置変更させるには、前記と逆の動作を行えばよい。
前記落下防止部材１１には、図１に示すように、フォークリフトの左右のフォーク爪２９を係合させるための左右の爪係合部３０が設けられている。この爪係合部３０は、落下防止部材１１の左右方向（長手方向）中央ＣＬから左右略均等な位置にそれぞれ設けられている。
【００３４】
図６に示すように、各爪係合部３０は、左右方向で対向配置された左右一対の縦壁３０ａと、この左右縦壁３０ａ間の上側に位置する上壁３０ｂと、前記左右縦壁３０ａ間の後
側に位置する後壁３０ｃと、左右縦壁３０ａの下端同士を連結する底壁３０ｄとを有する。
左右縦壁３０ａ間の間隔は、フォーク爪２９の左右幅よりも広く、左右縦壁３０ａ間にはフォーク爪２９の先端側が挿入可能である。また、上壁３０ｂはフォーク爪２９の先端側が下側から接当可能であり、後壁３０ｃはフォーク爪２９の先端側が前側から接当可能である。左右縦壁３０ａ間の間隔は、フォーク爪２９の先端側が挿入できる間隔で、極力狭くするのが好ましい。
【００３５】
本実施形態では、爪係合部３０の左右の縦壁３０ａと底壁３０ｄとは、一枚の板材をコ字形に折曲することにより一体形成され、この左右の縦壁３０ａと底壁３０ｄとからなるコ字形部材４０の上端（左右縦壁３０ａの上端）を落下防止部材本体２１の上面壁２３の下面に固定すると共に、該コ字形部材４０の後端（左右縦壁３０ａ及び底壁３０ｄの後端）を落下防止部材本体２１の背面壁２４の前面に固定することで形成されている。したがって、本実施形態では、爪係合部３０の左右縦壁３０ａ間における落下防止部材本体２１の上面壁２３が爪係合部３０の上壁３０ｂとされ、爪係合部３０の左右縦壁３０ａ間における落下防止部材本体２１の背面壁２４が爪係合部３０の後壁３０ｃとされている。
【００３６】
なお、左右の縦壁３０ａと底壁３０ｄとを別個の板材によって形成し、溶接によって相互に接合することによりコ字形部材４０としてもよい。また、上壁３０ｂ及び後壁３０ｃが落下防止部材１１とは別個に形成された爪係合部３０を、落下防止部材１１に溶接等によって固定してもよい。また、落下防止部材１１は断面Ｌ字形の部材によって形成されることはなく、例えば、断面矩形のバーによって形成してもよい。また、落下防止部材１１は左右軸回りに回転しないように構成される。
【００３７】
前記構成の落下防止装置１にあっては、フォークリフトの左右のフォーク爪２９の先端側を、左右方向で同じ側にある爪係合部３０の左右縦壁３０ａ間にそれぞれ挿入することにより、落下防止部材１１の左右方向中央ＣＬと左右のフォーク爪間の中央とを容易に略一致させることができる。これによって、落下防止部材１１を落下防止位置と退避位置とに位置変更させる際に、該落下防止部材１１を水平状態に維持して平行に上下移動させることが容易に行える。
【００３８】
また、フォーク爪２９を爪係合部３０の左右縦壁３０ａ間に挿入する際において、左右一方のフォーク爪２９を左右方向で同じ側に位置する爪係合部３０の左右縦壁３０ａ間に挿入すれば、落下防止部材１１の左右方向中央ＣＬと左右のフォーク爪２９間の中央とを容易に略一致させることができ、落下防止部材１１の左右方向中央ＣＬと左右のフォーク爪間の中央との位置合わせが容易に行える。
【００３９】
また、左右の縦壁３０ａをみながらフォーク爪２９の先端側を縦壁３０ａ間に挿入することができ、フォーク爪２９の左右方向の位置の修正が容易に行える。
また、爪係合部２９が後壁３０ｃを有することにより、落下防止部材１１が落下防止位置に位置している状態でフォーク爪２９の先端側を爪係合部３０の左右縦壁３０ａ間に挿入する際に、フォーク爪２９が左右縦壁３０ａ間を通過して物品２に接当するということがない。
【００４０】
また、爪係合部３０は底壁３０ｄを有するので、落下防止部材１１の左右一方側が支持部材１０に引っ掛かったり等して、万一、落下防止部材１１が傾いたとしても、底壁３０ｄがフォーク爪２９に接当し、落下防止部材１１が過度に傾くことがない。
また、落下防止部材１１に爪係合部２９を設けることにより、該落下防止部材１１の強度アップを図ることができる。
【００４１】
また、支持部材１０の側壁１０ｂにリブ１９Ａ〜Ｄを設けることにより、該側壁１０ｂの強度アップが図れ、特に、第２リブ１９Ｂによって支持部材１０の側壁１０ｂの第１保持部１４と第２連絡路１８の上部との間の部分の強度アップを図ることにより、落下防止部材１１が落下防止位置に位置している状態で物品２が前方移動して落下防止部材１１に衝当した祭に、側壁１０ｂの第１保持部１４と第２連絡路１８の上部との間の部分が変形するのが防止される。
【００４２】
また、抜止め部材２６により、物品２が前方移動して落下防止部材１１に衝当した祭に
、係合壁２２が第１保持部１４から抜けるのが防止される。
図７及び図８は落下防止装置１の他の形態を示している。
この形態の支持部材１０は、物品収容棚３の支柱４に取り付けられる取付壁１０ａと、この取付壁１０ａの左右両側から前方側に延出された左右の側壁１０ｂと、左右の側壁１０ｂの前端同士を連結する前壁１０ｃとから、上下方向の軸心を有する角筒状に（角パイプによって）形成されている。支持部材１０を角パイプによって形成することによって、支持部材１０を強固に形成することができる。
【００４３】
支持部材１０の左右側壁１０ｂには、図４に示す支持部材１０と同様の機能を有するガイド溝１３が形成され、リブ３１は、支持部材１０の側壁１０ｂの第１保持部１４と第２連絡路１８の上部との間の部分にのみ設けられている。
支持部材１０の前壁１０ｃには上部及び下部に、前後方向貫通状の窓開口３２，３３が形成されている。上側の窓開口３２は、支持部材１０を支柱４に取り付けるべく、ボルト締結用の工具を挿通するための支持部材取付用の開口とされ、取付壁１０ａに形成されるボルト挿通孔１２に対応するように縦長の矩形状に形成されている。
【００４４】
また、下側の窓開口３３は、抜止め部材３４を係合壁２２に取り付けるための抜止め部材取付用の開口とされている。この窓開口３３も四角矩形状に形成されている。
前記落下防止装置１は、例えば、左右の支持部材１０を物品収容棚３の支柱４に取付固定した後、落下防止部材１１の係合壁２２をガイド溝１３に挿通し、該係合壁２２をガイド溝１３に挿通した状態で、係合壁２２に抜止め部材３４が取付固定される。
【００４５】
抜止め部材３４は、例えば、以下のようにして取り付けられる。
先ず、落下防止部材１１をその上下移動領域の下端位置に下ろし（係合壁２２をガイド溝１３の第２保持部１５に位置させ）、支持部材１０の下端開口から抜止め部材３４を支持部材１０内に挿入し、下側の窓開口３３を介して正面側からボルト締結用の工具を挿通して、係合壁２２に抜止め部材３４をボルト３７等によって取り付ける。
【００４６】
抜止め部材３４は、図８に示す例のものにあっては、前後壁３４ａ，３４ｂと、前後壁３４ａ，３４ｂの一端側同士を連結する連結壁３４ｃとから断面Ｕ字形に形成されている。この抜止め部材３４の前壁３４ａにはボルト３７の頭部を挿入する挿入孔３５が形成され、後壁３４ｂにはネジ孔３６が形成されている。この抜止め部材３４は、前後壁３４ａで係合壁２２を挟むように且つ連結壁３４ｃが係合壁２２の左右方向外端に接当するように係合壁２２に嵌合され、抜止め部材３４の前壁３４ａの挿入孔３５を介して係合壁２２のボルト挿通孔２５にボルト３７を挿通すると共に、該ボルト３７を抜止め部材３４の後壁３４ｂのネジ孔３６にねじ込むことにより、係合壁２２に取り付けられる。
【００４７】
なお、抜止め部材３４をボルト及びナットによって係合壁２２に取り付けるようにしてもよい。この場合、ナットを抜止め部材３４の後壁３４ｂの背面に溶接固定しておいてもよい。また、抜止め部材３７を下側の窓開口３３を介して支持部材１０内に挿入できるように構成してもよい。
また、支持部材１０を支柱４前面に固定する場合において、前述したように、支持部材１０の下部に梁部材５を接続する接続部材９が位置する場合は、支持部材１０（取付壁１０ａ）の背面上部と支柱４の前面との間に、接続部材９の厚み分以上の厚さのスペーサ部材を介在させるか、又は該スペーサ部材を背面に固定させておく。
【００４８】
その他の構成は、前記図１〜図６に示す実施形態の落下防止装置と同様に構成される。
図９は落下防止装置の他の形態を示し、この形態のものにあっては、支持部材１０は、図７に示す角筒状の支持部材１０と同様に形成されている。
落下防止部材１１の係合壁２２には、抜止め部材４１を固定するためのネジ孔４４が形成されている。
【００４９】
抜止め部材４１は、係合壁２２の前面に重ね合わされる正面視矩形状の固定壁４１ａと、この固定壁４１ａの四辺から前方に延出された端壁４１ｂとから構成されている。固定壁４１ａの中心部にはボルト挿通孔４３が形成されている。
この抜止め部材４１は、支持部材１０の正面側から下側の窓開口３３を介して支持部材１０内に挿入され（支持部材１０の下端開口から抜止め部材４１を支持部材１０内に挿入
してもよい）、ボルト４２を固定壁４１ａに形成されたボルト挿通孔４３を挿通して係合壁２２に形成したネジ孔４４にねじ込むことにより、係合壁２２に取付固定される。
【００５０】
その他の構成は、前記実施形態の落下防止装置と同様に構成される。
図１０は支持部材１０の他の形態を示すものであり、ガイド溝１３に第１保持部１４を上下一対（上下複数）形成して、落下防止部材１１を上下２位置（上下複数位置）の落下防止位置で保持可能としたものである。
この形態のガイド溝１３の連絡通路部１６は、上下の第１保持部１４に対応して、第１連絡路１７及び第２連絡路１８を上下一対有し、上側の第２連絡路１８の下端は、下側の第１連絡路１７の上端の前端側に接続している。
【００５１】
第１保持部１４を上下一対（複数）有することにより、物品収容棚３に収容される物品２の高さに対応した位置に落下防止部材１１を位置させることができる。
なお、ガイド溝１３に第１保持部１４を３つ以上形成してもよい。
また、前記各実施形態において、支持部材１０に形成されるガイド溝１３はプレス加工によって形成され、コスト低下が図られている。
【符号の説明】
【００５２】
２    物品
３    物品収容棚
８    物品出し入れ用開口
１０    支持部材
１０ａ  取付壁
１０ｂ  側壁
１０ｃ  前壁
１１    落下防止部材
１２    ボルト挿通孔
１３    ガイド溝
１４    第１保持部
１５    第２保持部
１６    連絡通路部
１９Ａ  リブ
１９Ｂ  リブ
１９Ｃ  リブ
２１    落下防止部材本体
２２    係合壁
２３    上面壁
２４    背面壁
２９    フォーク爪
３０    爪係合部
３０ａ  縦壁
３０ｂ  上壁
３０ｃ  後壁
３１    リブ
３２    窓開口
ＣＬ    落下防止部材の左右方向中央
Ｘ    支持部材の側壁の第１保持部の後側部分
Ｙ    支持部材の側壁の第１保持部と第２保持部
Ｚ    支持部材の側壁の第２保持部の前側部分
【図１】
2014118266.tif 000003
【図２】
2014118266.tif 000004
【図３】
2014118266.tif 000005
【図４】
2014118266.tif 000006
【図５】
2014118266.tif 000007
【図６】
2014118266.tif 000008
【図７】
2014118266.tif 000009
【図８】
2014118266.tif 000010
【図９】
2014118266.tif 000011
【図１０】
2014118266.tif 000012